(57)【要約】  【課題】発泡スチロールの使用量を削減すると共に段ボール箱の圧縮強度の低下を改良した多段収納容器の提供。  【解決手段】対向する第１側壁部と第２側壁部と底部よりなる段ボール箱の容器本体と発泡スチロールよりなる補強部材とを有する容器を積み重ねた多段収納容器であって、前記容器本体の底部には第１側壁部の両端部に第１透孔を、その中間部位に第２透孔をそれぞれ設け、前記補強材の上面中央部及び底面両端部に凸部を設けると共に底面中間部には凹部を設け、前記補強材底面の凸部を容器本体底部の第１透孔に嵌合すると共に補強材底面中間部の凹部と容器本体の底部の第２透孔とで窪みを形成し、下段容器本体の上面にある凸部を前記窪みに嵌合するようにして多段に積み重ねたことを特徴とする多段収納容器である。【選択図】  図１
2005247359.tif 000002
【特許請求の範囲】
【請求項１】
対向する第１側壁部と第２側壁部と底部よりなる段ボール箱の容器本体と発泡スチロールよりなる補強部材とを有する容器を積み重ねた多段収納容器であって、前記容器本体の底部には第１側壁部の両端部に第１透孔を、その中間部位に第２透孔をそれぞれ設け、前記補強材の上面中央部及び底面両端部に凸部を設けると共に底面中間部には凹部を設け、前記補強材底面の凸部を容器本体底部の第１透孔に嵌合すると共に補強材底面中間部の凹部と容器本体の底部の第２透孔とで窪みを形成し、下段容器本体の上面に突出している凸部を前記窪みに嵌合するようにして多段に積み重ねたことを特徴とする多段収納容器。
【請求項２】
前記補強部材の側面に沿って支持部を貼着した請求項１記載の多段収納容器。
【発明の詳細な説明】
【技術分野】
【０００１】
本発明は、水産物や農作物を収納、輸送するのに好適な収納容器に関する。
【背景技術】
【０００２】
従来より軽量な発泡プラスチック容器や段ボールの容器は水産物や農作物を収納して積み上げ状態で倉庫に保管したり、或いは輸送するのに使用されている。
そして、これらの容器を荷崩れせずに確実に積み上げるために種々の工夫がなされている。例えば特許文献１では前後縁と左右縁との寸法の比を２：１とする長方形の底板と、該底板の前後縁に沿って同一の高さで起立する前記底板と同一幅の一対の第１側板と、前記底板の左右縁に沿って前記第１側板と同一の高さで起立する一対の第２側板とによって形成された箱体において、前記各第１側板の上縁の、両端から１／４の長さ位置で上方に突出する一対の突片を設け、前記底板の前後縁に沿って、前記各突片に対応する夫々の位置に第１穴部を設け、前記底板の左右縁に沿って、その中央位置に前記突片が挿入可能な寸法の一対の第２穴部を設け、前記底板の内方の中央位置に前記突片が少なくとも２つ挿入可能な寸法の第３穴部を設けたことを特徴とする箱体が開示されている。また、特許文献２には、箱体の一方の両隅角部と他方の両隅角部にそれそれ蓋片をかぶせ、別の通し容器の蓋片の上に載置して積み上げ、このとき積み上げた通し容器の箱本体の底面が下の容器の蓋片上面の窪みに遊嵌し、突き上げた通し容器が輸送中にズレるのを防止した通し容器が開示されている。即ち、横断断面積が上端開口から底面に向けて漸減するように側面をテーパに形成した箱本体と、箱本体の前記上端開口を覆蓋すると共に一の箱本体に他の箱本体を嵌合して積み重ねるとき前記箱本体に内蔵することにより他の箱本体の底面を支持して他の箱本体の底面と一の箱本体の底面との間に所要の隙間を形成可能な蓋片を備えた通し容器であって、前記蓋片が、前記箱本体の上端開口の一側の両角隅部を覆蓋する蓋片と、前記上端開口の他側の両角隅部を覆蓋する蓋片から成り、両蓋片を重ね合わせたとき箱形になるように互いに相補形に形成し、かつ両蓋片により一の箱本体の上端開口を覆蓋してその上に他の箱本体を積み重ねたとき、該箱本体の底面が遊嵌するように各蓋片の上面を窪ませたことを特徴とする通し容器である。
【特許文献１】実開平５−３５６４４号公報
【特許文献２】特開２００１−１６３３３５号公報
【０００３】
しかし、段ボール容器は耐水性に弱く例えば冷蔵、冷凍保存の段ボールをその後常温で保存或いは流通させた場合には水分の関係で耐圧強度が著しく低下するという欠点がある。そのため水気の多い環境又は水分を生じやすい状態には段ボール箱の代わりに主として発泡プラスチック容器が主として使用されている。
プラスチック容器は一度使用すると廃棄されることが多く、発泡スチロール容器は折り畳むことが出来ないので、廃棄発泡スチロール容器の為に広いスペースが占められることが多く不便である。
【発明の開示】
【発明が解決しようとする課題】
【０００４】
本発明者は発泡ブラスチックの使用量を削減すると共に確実に積み上げ使用できる容器について種々検討した結果、本発明を完成したもので、本発明は発泡スチロール容器の使用量を削減し、段ボール箱の水分による耐圧強度を防ぎ積み上げ状態で使用可能な容器を提供することを目的とする。
【課題を解決するための手段】
【０００５】
本発明の要旨は対向する第１側壁部と第２側壁部と底部よりなる段ボール箱の容器本体と発泡スチロールよりなる補強部材とを有する容器を積み重ねた多段収納容器であって、前記容器本体の底部には第１側壁部の両端部に第１透孔を、その中間部位に第２透孔をそれぞれ設け、前記補強材の上面中央部及び底面両端部に凸部を設けると共に底面中間部には凹部を設け、前記補強材底面の凸部を容器本体底部の第１透孔に嵌合すると共に補強材底面中間部の凹部と容器本体の底部の第２透孔とで窪みを形成し、下段容器本体の上面に突出している凸部を前記窪みに嵌合するようにして多段に積み重ねたことを特徴とする多段収納容器である。
【発明の効果】
【０００６】
即ち、本発明においては段ボール箱の内壁面に沿って発泡スチロールからなる補強材を入れ、補強材の両端にある凸部を箱体底部の透孔に嵌合すると共に補強材の中央部にある凹部と箱体底部中央の透孔とが一体となって窪みを形成し、この窪みに下段の容器本体の上面より突出した凸部（下段容器本体に入れた補強部材上面の凸部）を嵌合させて積み重ねるので荷くづれを生じることなく確実に積み重ねることができる。そして、段ボール箱にはその側壁内面に沿って発泡スチロールからなる補強部材が添着してあるので温度変化に伴う水分を吸収しても圧縮強度が低下することがない。
【発明を実施するための最良の形態】
【０００７】
本発明について詳細に述べる。
本発明における容器本体は通常の段ボール箱であって、その大きさも通常のものと大差ない。発泡スチロールからなる補強部材は容器本体の側壁内面に沿って添着するのでその長さは容器本体の側壁の内寸に等しく、その高さは側壁の高さに等しい。補強部材の底面にある凸部を容器本体底部の第１透孔に挿入して補強部材を起立させる。その際補強部材の側面に支持材を貼着すると補強部材の底面の奥行きが広くなり安定して補強材を起立たせることができるので好ましい。
本発明の収納容器は容器本体の高さによるが、通常、何段も積み重ねて使用する。最上段の容器本体はそのままの状態でも良いが、最上段の容器本体の上面より突出している凸部に嵌合するような切り込み部を有する蓋体を被せることが好ましく、更にその上よりバンドなどで締結する事によってなお一層荷崩れなど生じる心配はない。そして容器本体及び蓋体は段ボール紙で形成されている。
〔実施例〕
【０００８】
次に実施例として図面をもって更に具体的に説明する。図１は本発明にかかる容器本体Ａ，Ｂを２段に重ね更に蓋体を設けた状態を説明するための斜視図である。容器本体Ａは底部４の周縁より起立した対向する１対の第１側壁部２，２及び第２側壁部３，３を有する。図２は容器本体を底部４より見た斜視図であって、底部４には第１側壁部２，２の両端部に位置する部位に第１透孔５，５を設けると共に、その中間部に第２透孔６を設ける。第１透孔と第２透孔との大きさは特に限定はないが第１透孔より第２透孔の方を大きくした方が、しっかりと積み重ねた状態になるので好ましい。
【０００９】
図３は本発明で使用する補強材７の斜視図であり、図４は該補強材７を寝かせた状態（９０°回転した状態）の斜視図である。図３及び図４において、補強材の底面にはその両端部に凸部８を凸設し、その中間に凹部９を設ける。凹部９の位置は容器本体の底部４に設けた第２透孔６の位置と合致するようする。補強材７の上面には凸部１０を設け、上段の容器本体の補強材に設けた凹部９及び第２透孔６によって形成される窪みに嵌合させる。更に補強片の側面に支持部１１を設けて補強部の底面を広くし容器本体の内壁面に添着したとき倒れ難くする。
【００１０】
次に、このような容器本体及び補強材を使用して容器本体を積み重ねるには、容器本体の第１側壁２の内面に補強材７の側面が接するように添着し、補強材７に設けた凸部８を容器本体の第２透孔に挿入する。また、補強材の上面に設けた凸部１０は上段の容器本体及び補強材によって形成されている窪み内に嵌合するようにする。最上段の容器本体には蓋体Ｃを被せ、最上段に装着した補強材の上面に設けてある凸部が食い込めるように蓋体に切り込み部１２を設ける。
このようにしてＡ，Ｂ、Ｃを積み重ね、必要に応じてその外側にバンドを締着する事によって確実に積み重ねることができる。
本発明においては容器本体に発泡スチロールからなる補強部材を装着してあるので温度変化による水分の発生に伴う圧縮強度の低下は避けることができ、また発泡スチロールの使用量は単に補強部材だけであるので著しく削減でき、従って、この容器を廃棄するに際しても大きなスペースを占めることはない。
【図面の簡単な説明】
【００１１】
【図１】本発明にかかる容器本体の積み重ね状態を示した斜視図。
【図２】本発明にかかる容器本体の底面より見た斜視図。
【図３】補強部材の斜視図。
【図４】補強部材を寝かせた状態の斜視図。
【符号の説明】
【００１２】
Ａ    容器本体        Ｂ  下段部の容器本体  Ｃ  蓋体
２，２  第１側壁部    ３，３  第２側壁部    ４  容器本体の底部
５，５  第１透孔      ６，６  第２透孔      ７  補強部材
８，８  補強部材両端部の凸部        ９  補強部材の凹部
１０  補強部材の凸部    １１  補強部材の支持部
【図１】
2005247359.tif 000003
【図２】
2005247359.tif 000004
【図３】
2005247359.tif 000005
【図４】
2005247359.tif 000006